(57)【要約】  外部装置と車両との接続時に前記外部装置の認証を行い、認証が成功したときに前記外部装置と車内通信との通信を中継する車載ゲートウェイ装置であって、前記外部装置と前記車両との接続時に、前記外部装置からの給電により作動し、前記車両の認証を行うことを特徴とする。
2013038479.tif 000002
【特許請求の範囲】
【請求項１】
外部装置と車両との接続時に前記外部装置の認証を行い、認証が成功したときに前記外部装置と車内通信との通信を中継する車載ゲートウェイ装置であって、
前記外部装置と前記車両との接続時に、前記外部装置からの給電により作動し、前記外部装置の認証を行うことを特徴とする車載ゲートウェイ装置。
【請求項２】
前記外部装置からの給電は、前記外部装置と前記車両との接続時に前記外部装置からの給電ラインが形成されて前記外部装置に内蔵されるバッテリから行われ、
車載バッテリからの給電ラインは備えていないことを特徴とする請求項１に記載の車載ゲートウェイ装置。
【請求項３】
前記外部装置からの給電は、前記外部装置内の電源回路により電圧が制御されて行われることを特徴とする請求項２に記載の車載ゲートウェイ装置。
【請求項４】
電源回路を有し、
前記外部装置からの給電は、前記電源回路により電圧が制御されて行われることを特徴とする請求項２に記載の車載ゲートウェイ。
【請求項５】
前記外部装置と通信するための車外通信用トランシーバを有し、
前記外部装置と前記車両との接続時に、前記車外通信用トランシーバが前記外部装置からの給電により作動することを特徴とする請求項１に記載の車載ゲートウェイ装置。
【請求項６】
車載バッテリからの給電ラインと電源回路とを有し、
前記車外通信用トランシーバ以外は、前記車載バッテリから給電が行われることを特徴とする請求項５に記載の車載ゲートウェイ装置。
【請求項７】
前記外部装置と前記車両が接続されていないときには、前記外部装置と車内通信との通信を中継する機能以外の機能を有して作動することを特徴とする請求項６に記載の車載ゲートウェイ装置。
【請求項８】
外部装置と車両との接続時に前記外部装置の認証を行い、認証が成功したときに前記外部装置と車内通信との通信を中継する車載ゲートウェイ装置であって、
車載バッテリからの給電ラインと、
前記車載バッテリからの給電のオン・オフを切り替える給電切替手段とを有し、
前記外部装置と前記車両との接続時に、前記外部装置に備えられた制御手段により前記給電切替手段が切替制御されて前記車載バッテリからの給電により作動し、前記外部装置の認証を行うことを特徴とする車載ゲートウェイ装置。
【請求項９】
前記外部装置と通信するための車外通信用トランシーバを有し、
前記給電切替手段は、該車外通信用トランシーバに接続されており、該車外通信用トランシーバへの給電のオン・オフを切り替えることにより、前記外部装置との通信を開始することを特徴とする請求項８に記載の車載ゲートウェイ装置。
【請求項１０】
前記車外通信用トランシーバ以外は、前記給電切替手段のオン・オフに関わらず、前記車載バッテリから給電されることを特徴とする請求項９に記載の車載ゲートウェイ装置。
【請求項１１】
前記外部装置と前記車両とが接続されていないときには、前記外部装置と車内通信との通信を中継する機能以外の機能を有して作動することを特徴とする請求項１０に記載の車載ゲートウェイ装置。
【請求項１２】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記外部装置は給電手段を備え、前記外部装置と前記車両との接続時に、前記給電手段が前記車載ゲートウェイ装置に給電を行い、前記車載ゲートウェイ装置が作動して前記外部装置の認証を行うことを特徴とする車両用通信システム。
【請求項１３】
前記車載ゲートウェイ装置は、車載バッテリからの給電ラインを有さず、
前記給電手段は、前記外部装置に内蔵されるバッテリを有し、前記外部装置と前記車両との接続時に、前記バッテリから前記車載ゲートウェイ装置への給電ラインが形成されることを特徴とする請求項１２に記載の車両用通信システム。
【請求項１４】
前記給電手段は、前記車外バッテリに接続された電源回路を更に有し、前記車載ゲートウェイ装置への給電電圧を制御することを特徴とする請求項１３に記載の車両用通信システム。
【請求項１５】
前記車載ゲートウェイ装置は、前記給電ラインに接続された電源回路を有し、前記給電手段から給電される電圧を制御することを特徴とする請求項１３に記載の車両用通信システム。
【請求項１６】
前記車載ゲートウェイ装置は、前記外部装置と通信するための車外通信用トランシーバを有し、
該車外通信用トランシーバは、前記外部装置と前記車両との接続時に、前記給電手段からの給電により作動することを特徴とする請求項１２に記載の車両用通信システム。
【請求項１７】
前記車載ゲートウェイ装置は、車載バッテリからの給電ラインと電源回路を有し、
前記車載ゲートウェイ装置の前記車外通信用トランシーバ以外には、前記車載バッテリから給電が行われることを特徴とする請求項１６に記載の車両用通信システム。
【請求項１８】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記車載ゲートウェイ装置は、車載バッテリからの給電ラインと、前記車載バッテリからの給電のオン・オフを切り替える給電切替手段とを有し、
前記外部装置は、該給電切替手段を切替制御する制御手段を有し、
前記車載ゲートウェイ装置は、前記外部装置と前記車両との接続時に、前記制御手段により前記給電切替手段が切替制御されて前記車載バッテリからの給電により作動し、前記外部装置の認証を行うことを特徴とする車両用通信システム。
【請求項１９】
前記車載ゲートウェイ装置は、前記外部装置と通信するための車外通信用トランシーバを有し、
前記給電切替手段は、該車外通信用トランシーバに接続されており、該車外通信用トランシーバへの給電のオン・オフを切り替えることにより、前記車載ゲートウェイ装置と前記外部装置との通信を開始することを特徴とする請求項１８に記載の車両用通信システム。
【請求項２０】
前記車載ゲートウェイ装置の前記車外通信用トランシーバ以外は、前記給電切替手段のオン・オフに関わらず、前記車載バッテリから給電されることを特徴とする請求項１９に記載の車両用通信システム。
【発明の詳細な説明】
【技術分野】
【０００１】
本発明は、車載ゲートウェイ装置及び車両用通信システムに関し、特に、外部装置と車両との接続時に、外部装置の認証確認を行い、認証がなされたときに外部装置と車内通信との通信を中継する車載ゲートウェイ装置及び車両用通信システムに関する。
【背景技術】
【０００２】
従来から、車両に故障診断ツール等の車外装置を接続する際に、ダイアグコネクタ等から車載ＬＡＮ（Local Area Network）に不正アクセスされることを防止する車両用中継装置が知られている（例えば、特許文献１参照）。特許文献１に記載の車両用中継装置においては、車載ＬＡＮと車外装置とのデータ通信を中継するゲートウェイＥＣＵ（Electronic Control Unit、電子制御ユニット）を搭載し、このゲートウェイＥＣＵが車外装置を認証することにより、正規のアクセスのみを許可する。
【特許文献１】特開２００３−４６５３６号公報
【特許文献２】特開２０１０−２３２８６７号公報
【発明の開示】
【発明が解決しようとする課題】
【０００３】
しかしながら、上述の特許文献１に記載の構成では、不正アクセスを防止するため、車載ＬＡＮと外部装置との間にゲートウェイＥＣＵを追加搭載する必要があるが、ゲートウェイＥＣＵの搭載により、車両の消費電流の増加が生じるという問題があった。また、ゲートウェイＥＣＵには、車載バッテリから電力が供給されており、車外装置の接続時の認証に備え、常に待機状態にあり待機電流を必要とするため、消費電力が大きくなり、バッテリ上がりや、発電機会の増加により燃費が悪化するおそれがあるという問題があった。【０００４】
また、ゲートウェイＥＣＵと制御装置として機能するＥＣＵとの間の通信線の数を削減すべく、ゲートウェイＥＣＵには電源回路やＣＡＮトランシーバを設けず、中継処理回路、水晶振動子、ＥＥＰＲＯＭ、コネクタのみを設け、制御装置として機能するＥＣＵが電源回路等を備えており、制御装置として機能するＥＣＵのコネクタにゲートウェイＥＣＵのコネクタが接続されたときに、制御装置として機能したＥＣＵが中継装置として機能する中継システムが提案されている（例えば、特許文献２参照）。【０００５】
しかしながら、特許文献２に記載の中継システムでは、ゲートウェイＥＣＵも制御装置として機能するＥＣＵも車載ＥＣＵであるため、分離状態でも接続状態でも車載バッテリから電源の供給を受けていることには変わりなく、通信線の数は削減できても、消費電力を低減させることはできないという問題があった。【０００６】
そこで、本発明は、不正アクセスを防止するセキュリティ性を向上させつつ、消費電力を低減させることができる車載ゲートウェイ装置及び車両用通信システムを提供することを目的とする。
【課題を解決するための手段】
【０００７】
上記目的を達成するため、本発明の一態様に係る車載ゲートウェイ装置は、外部装置と車両との接続時に前記外部装置の認証を行い、認証が成功したときに前記外部装置と車内通信との通信を中継する車載ゲートウェイ装置であって、
前記外部装置と前記車両との接続時に、前記外部装置からの給電により作動し、前記外部装置の認証を行うことを特徴とする。【０００８】
本発明の他の態様に係る車載ゲートウェイ装置は、外部装置と車両との接続時に前記外部装置の認証を行い、認証がなされたときに前記外部装置と車内通信との通信を中継する車載ゲートウェイ装置であって、
車載バッテリからの給電ラインと、
前記車載バッテリからの給電のオン・オフを切り替える給電切替手段とを有し、
前記外部装置と前記車両との接続時に、前記外部装置に備えられた制御手段により前記給電切替手段が切替制御されて前記車載バッテリからの給電により作動し、前記外部装置の認証を行うことを特徴とする。【０００９】
また、本発明の他の態様に係る車両用通信システムは、車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記外部装置は給電手段を備え、前記外部装置と前記車両との接続時に、前記給電手段が前記車載ゲートウェイ装置に給電を行い、前記車載ゲートウェイ装置が作動して前記外部装置の認証を行うことを特徴とする。【００１０】
更に、本発明の他の態様に係る車両用通信システムは、車両に接続可能な外部装置と、
前記外部装置と前記車両との接続時に、前記外部装置の認証を行い、認証が成功したときに前記外部装置と車内通信との通信を中継する車載ゲートウェイ装置とを有する車両用通信システムであって、
前記車載ゲートウェイ装置は、車載バッテリからの給電ラインと、前記車載バッテリからの給電のオン・オフを切り替える給電切替手段とを有し、
前記外部装置は、該給電切替手段を切替制御する制御手段を有し、
前記車載ゲートウェイ装置は、前記外部装置と前記車両との接続時に、前記制御手段により前記給電切替手段が切替制御されて前記車載バッテリからの給電により作動し、前記外部装置の認証を行うことを特徴とする。
【発明の効果】
【００１１】
本発明によれば、待機電力を抑制できるとともに、不正アクセスを防止してセキュリティを向上させることができる。
【図面の簡単な説明】
【００１２】
【図１】本発明の実施例１に係る車載ゲートウェイ装置及び車両用通信システムの一例を示した構成図である。
【図２】比較例として従来のゲートウェイ装置及び車両用通信システムを示した図である。
【図３】本発明の実施例２に係るゲートウェイ装置及び車両用通信システムの一例を示した構成図である。
【図４】本発明の実施例３に係る車載ゲートウェイ装置及び車両用通信システムの一例を示した構成図である。
【図５】本発明の実施例４に係るゲートウェイ装置及び車両用通信システムの一例を示した構成図である。
【図６】本発明の実施例５に係る車載ゲートウェイ装置及び車両用通信システムの一例を示した構成図である。
【符号の説明】
【００１３】
１０〜１４    ゲートウェイＥＣＵ（車載ゲートウェイ装置）
２０    車外通信用トランシーバ
２１    ＭＣＵ
２２    車内通信用トランシーバ
２３〜２６、５５、８５    給電ライン
３０    車内通信用バス
４０    コネクタ
５０    車載バッテリ
６０〜６３    外部装置
７０    通信手段
８０    バッテリ
８１〜８３、８３ａ、８４    電源回路
９０    給電切替制御手段
９１、９２    給電切替手段
９５    制御線
１００    車両
【発明を実施するための最良の形態】
【００１４】
以下、図面を参照して、本発明を実施するための形態の説明を行う。
【実施例１】
【００１５】
図１は、本発明の実施例１に係る車載ゲートウェイ装置及び車両用通信システムの一例を示した構成図である。図１において、実施例１に係る車両用通信システムは、ゲートウェイＥＣＵ（Electronic Control Unit、電子制御ユニット）１０と、車内通信用バス３０と、コネクタ４０と、外部装置６０とを備える。また、関連構成要素として、車両１００が示されている。ゲートウェイＥＣＵ１０、車内通信用バス３０及びコネクタ４０は車両１００内に設けられ、外部装置６０は車両１００の外部に設けられる。なお、車載ゲートウェイ装置は、本実施例及び以後の実施例において、ゲートウェイＥＣＵと呼んでもよいこととする。【００１６】
また、実施例１に係る車載ゲートウェイ装置（ゲートウェイＥＣＵ１０）は、車外通信用トランシーバ２０と、ＭＣＵ（Micro Control Unit、マイクロコントローラ）２１と、車内通信用トランシーバ２２と、給電ライン２３とを内部に備える。また、外部装置６０は、通信手段７０と、バッテリ８０とを内部に備える。【００１７】
ゲートウェイＥＣＵ１０と外部装置６０とは、コネクタ４０を介して接続されている。また、ゲートウェイＥＣＵ１０は、車内通信用バス３０と接続されており、特に、ゲートウェイＥＣＵ１０内の車内通信用トランシーバ２２、ＭＣＵ２１及び車外通信用トランシーバ２０が、車内通信用バス３０と接続されている。また、外部装置６０内の通信手段７０が、コネクタ４０を介して車内通信用バス３０に接続されるようになっている。また、ゲートウェイＥＣＵ１０内の電源回路８１は、給電ライン２３により車外通信用トランシーバ２０、ＭＣＵ２１及び車内通信用トランシーバ２２に接続されている。ゲートウェイＥＣＵ１０内の電源回路８１は、コネクタ４０を介して、外部装置６０内のバッテリ８０に給電ライン８５により接続されている。【００１８】
ゲートウェイＥＣＵ１０は、車両１００のコネクタ４０に外部装置６０が接続された時に、外部装置６０の認証を行い、認証が成功して外部装置６０が正規の外部装置６０であると判定したときには、外部装置６０と車内通信との通信を中継する車両用電子制御装置である。このように、ゲートウェイＥＣＵ１０は、認証により外部装置６０が車内通信に不正アクセスすることを防止するファイアウォールとして機能するとともに、正規のアクセスに対しては、通信を中継する中継装置として機能する。【００１９】
かかる機能を実現するため、ゲートウェイＥＣＵ１０は、車外通信用トランシーバ２０と、ＭＣＵ２１と、車内通信用トランシーバ２２とを備える。【００２０】
車外通信用トランシーバ２０は、車両１００の外部にある外部装置６０が車両１００に接続されたときに、外部装置６０と通信を行うための通信手段であり、送信及び受信の双方が可能に構成される。外部装置６０は、車両１００に設けられたコネクタ４０に接続することにより車両１００に接続するので、車外通信用トランシーバ２０は、コネクタ４０に車内通信用バス３０を介して接続される。外部装置６０がコネクタ４０に接続されたときには、外部装置６０内の通信手段７０がコネクタ４０を介して車外通信用トランシーバ２０に接続される。【００２１】
ＭＣＵ２１は、ゲートウェイＥＣＵ２１における種々の演算処理を行うためのコントローラであり、プログラムにより動作するＣＰＵ（Central Processing Unit、中央処理装置）から構成されてよい。ＭＣＵ２１は、外部装置６０と車両１００との接続時には、外部装置６０の認証処理を行い、外部装置６０が正規の外部装置６０であるか否かの認証判定を行う。【００２２】
なお、認証処理は、用途に応じて種々の認証方法を用いることができる。例えば、外部装置６０からＩＤコードを含む照合要求信号が送信され、車外通信用トランシーバ２０がこれを受信し、ＭＣＵ２１が受信したＩＤコードについて所定のＩＤコードとの照合を行い、ＩＤコードが一致して認証が成功したら正規アクセスと判定し、ＩＤコードが不一致で認証が不成功であれば不正アクセスと判定するような認証方法を用いてもよい。【００２３】
車内通信用トランシーバ２２は、車内通信を行うための通信手段であり、車内通信用バス３０に接続されている。つまり、車内通信は、車内通信用バス３０を介して行う。なお、車内通信用トランシーバ２２も、送信と受信の双方が可能に構成される。【００２４】
給電ライン２３は、車外通信用トランシーバ２０、ＭＣＵ２１、車内通信用トランシーバ２２等のゲートウェイＥＣＵ１０内の各種処理手段に電源を供給するための接続線である。図１においては、ゲートウェイＥＣＵ１０内の処理手段は、車外通信用トランシーバ２０、ＭＣＵ２１、車内通信用トランシーバ２２のみが示されているが、ゲートウェイＥＣＵ１０は、必要に応じて他の処理手段を備えてよく、その場合には、給電ライン２３は、電源供給が必要な総ての処理手段に接続される。【００２５】
電源回路８１は、車外通信用トランシーバ２０、ＭＣＵ２１、車内通信用トランシーバ２２を含むゲートウェイＥＣＵ１０内の処理手段に給電を行う際、給電電圧を制御するための回路である。よって、電源回路８１は、車外通信用トランシーバ２０、ＭＣＵ２１、車内通信用トランシーバ２２等を動作させるのに適切な電圧を供給するように構成されてよく、例えば、５Ｖ程度の電圧を供給するように構成されてもよい。また、電源回路８１はその他、各処理手段に給電を行う際に必要な電圧制御及び電流制御を行うようにしてよい。【００２６】
車内通信用バス３０は、車載ＬＡＮ（Local Area Network）を構成するためのバスであり、車両１００内にある各種ＥＣＵ（図示せず）同士を接続し、ＥＣＵ間の通信を可能とする。車載ＬＡＮは、ＣＡＮ（Controller Area Network）、ＬＩＮ（Local Interconnect Network）、ＭＯＳＴ（Media Oriented Systems Transport bus）、ＦｌｅｘＲａｙ等、用途に応じて種々のネットワーク規格が採用されてよい。【００２７】
コネクタ４０は、外部装置６０と車両１００との接続を可能とするための手段である。外部装置６０側に設けられた接続ピン等の接続が可能なように、車室内の表面のいずれかの箇所に露出して設けられる。コネクタ４０は、例えば、外部装置６０が故障診断ツールの場合を考慮して、故障診断ツールが接続できるダイアグコネクタが用いられてもよい。本実施例に係る車両用通信システムのコネクタ４０は、通信データと電力の伝送が可能なコネクタ４０が用いられる。【００２８】
外部装置６０は、車外に単独で存在し、車両１００に接続して車内通信にアクセスすることにより、車両１００の故障診断やＥＣＵ内のプログラム等の書き換えが可能な装置である。外部装置６０は、例えば、車両１００の故障診断を行う故障診断ツールとして構成されてもよい。外部装置６０は、通信手段７０とバッテリ８０とを内蔵する。【００２９】
通信手段７０は、外部装置６０と車両１００との接続時に、車内通信と通信を行うための送受信手段である。通信手段７０は、コネクタ４０に接続され、ゲートウェイＥＣＵ１０に認証がなされることにより、車内通信へのアクセスが許可される。車内通信へのアクセスは、コネクタ４０を介して、通信手段７０が車内通信用バス３０に接続されることにより行われる。【００３０】
バッテリ８０は、ゲートウェイＥＣＵ１０に電力を供給するための電源である。ゲートウェイＥＣＵ１０は、電源回路８１を内部に備えるが、電源自体は備えていない。また、車載バッテリからの給電ラインも備えていない。代わりに、ゲートウェイＥＣＵ１０は、外部装置６０のバッテリ８０と電源回路８１とを接続する給電ライン８５を備えている。給電ライン８５は、外部装置６０が接続されない状態では、電源と何ら接続されていない状態であるが、外部装置６０がコネクタ４０に接続されることにより、外部装置６０に内蔵されたバッテリ８０に接続される。これにより、バッテリ８０からゲートウェイＥＣＵ１０に給電が行われ、バッテリ８０から供給された電力は電源回路８１を介して車外通信用トランシーバ２０、ＭＣＵ２１及び車内通信用トランシーバ２２等の各処理手段に供給される。よって、バッテリ８０は、車載バッテリと同様のバッテリが用いられることが好ましい。【００３１】
つまり、ゲートウェイＥＣＵ１０は、外部装置６０が車両１００に接続されない状態では、車載バッテリを含む車両内の電源に何ら接続されない状態であり、停止状態となる。一方、外部装置６０が車両１００のコネクタ４０に接続されると、電源回路８１とバッテリ８０とを接続する給電ライン８５が形成され、外部装置６０内のバッテリ８０から給電が行われる。この給電によりゲートウェイＥＣＵ１０は作動し、外部装置６０の認証確認を開始し、認証が成功したら外部装置６０と車内通信用バス３０との通信を許可して中継し、認証が成功しなかったら、外部装置６０と車内通信用バス３０との通信を許可しない。【００３２】
このように、実施例１に係る車載ゲートウェイ装置及び車両用通信システムによれば、外部装置６０が車両１００に接続されない場合には、ゲートウェイＥＣＵ１０は作動しないため、ゲートウェイＥＣＵ１０の消費電流はゼロとなる。また、ゲートウェイＥＣＵ１０は、車載バッテリを使用しないため、車載バッテリの消費電流もゼロとなる。更に、コネクタ４０の通信ラインに不正な外部装置による不正アクセスがあっても、そのような外部装置はコネクタ４０へのバッテリ８０からの給電ラインが存在しないため、ゲートウェイＥＣＵ１０は作動しない。よって、データの盗難や不正入力を行うことはできず、車内通信のセキュリティ性は確保される。また、外部装置６０が接続され、ゲートウェイＥＣＵ１０が作動した後は、通常通り認証を行うので、電源による認証とＩＤコード等による２段階の認証を行うことになり、セキュリティ性を更に向上させることができる。つまり、実施例１に係る車載ゲートウェイ装置及び車両用通信システムによれば、待機時に消費電力を発生させることなく、車内通信のセキュリティ性を向上させることができる。【００３３】
なお、本実施例において、バッテリ８０は、必要に応じて、外部装置６０内部の各種処理手段への給電を行うようにしてもよい。外部装置６０内部の各処理手段が、バッテリ８０により動作可能に構成してあれば、バッテリ８０は、ゲートウェイＥＣＵ１０と外部装置６０自身の給電を兼用することができる。【００３４】
図２は、比較例として、従来のゲートウェイ装置及び車両用通信システムを示した図である。図２において、車両２００内に設けられたゲートウェイＥＣＵ１１０が、車外通信用トランシーバ１２０と、ＭＣＵ１２１と、車内通信用トランシーバ１２２と、給電ライン１２３と、電源回路１８１を備えており、これらが車内通信用バス１３０に接続されている点は、実施例１と同様である。【００３５】
しかしながら、図２においては、電源回路１８１は、車載バッテリ１５０に給電ライン１８５を介して接続されており、車載バッテリ１５０から電源供給を受けるように構成されている。また、コネクタ１４０に接続される外部装置１６０は、通信手段１７０を内部に備えているが、バッテリ等の電源は備えていない。【００３６】
かかる構成では、ゲートウェイＥＣＵ１１０には、車載バッテリ１５０から電源を供給するしか無く、また、外部装置１６０はいつ接続されるか分からないので、ゲートウェイＥＣＵ１１０は常に待機状態を保つ必要がある。よって、ゲートウェイＥＣＵ１１０が認証処理や通信の中継を行っていない場合であっても、外部装置１６０が接続されたときにこれらの機能を果たすことができるように、常にスタンバイ状態を保つ必要があり、車外通信用トランシーバ１２０等で電力が消費され続けることになる。そうすると、車載バッテリ１５０の消費電力が大きくなり、バッテリ上がりや燃費低下へと繋がってしまう。【００３７】
一方、本実施例に係るゲートウェイ装置及び車両用通信システムによれば、図１に示したように、車載バッテリからゲートウェイＥＣＵ１０に電力は供給されていないので、待機状態における消費電力をゼロにすることができ、大幅に消費電力を低減させることができる。
【実施例２】
【００３８】
図３は、本発明の実施例２に係るゲートウェイ装置及び車両用通信システムの一例を示した構成図である。図３において、実施例２に係る車両用通信システムは、車両１００内に、ゲートウェイＥＣＵ１１と、車内通信バス３０と、コネクタ４０とを備え、車両１００外に外部装置６１を備える。なお、実施例２に係るゲートウェイ装置及び車両用通信システムにおいて、実施例１に係るゲートウェイ装置及び車両用通信システムと同様の構成要素には、同一の参照符号を付し、その説明を省略する。【００３９】
実施例２に係る車載ゲートウェイ装置（ゲートウェイＥＣＵ１１）は、車外通信用トランシーバ２０と、ＭＣＵ２１と、車内通信用トランシーバ２２と、給電ライン２３とを内部に備える点で、実施例１に係るゲートウェイ装置と共通するが、電源回路８１を備えていない点で、実施例１に係る車載ゲートウェイ装置（ゲートウェイＥＣＵ１０）と異なっている。【００４０】
外部装置６１は、通信手段７０と、バッテリ８０とを内部に備える点で、実施例１に係る車両用通信システムの外部装置６０と共通するが、更に電源回路８１を備える点で、実施例１の外部装置６０と異なっている。【００４１】
つまり、実施例２に係る車両用通信システムは、実施例１においてゲートウェイＥＣＵ１０の内部に備えられていた電源回路８１が、外部装置６１の内部に備えられている点で、実施例１に係る車両用通信システムと異なっている。このように、バッテリ８０及び電源回路８１の双方とも、外部装置６１の内部に設けるようにしてもよい。この場合においても、外部装置６１が車両１００に接続されない場合には、ゲートウェイＥＣＵ１１は電力を一切消費しない。また、外部装置６１と車両１００との接続時に、外部装置６１内のバッテリ８０から、電源回路８１を介して給電ライン２３によりゲートウェイＥＣＵ１１内の車外通信トランシーバ２０、ＭＣＵ２１及び車内通信トランシーバ２２に給電がなされる。その際、外部装置６１に電源回路８１が存在するので、コネクタ４０には、給電電圧の制御が行われた電圧が供給される。例えば、ゲートウェイＥＣＵ１１の通信トランシーバ２０、２２やＭＣＵ２１を駆動できる５Ｖ程度の電圧が直接ゲートウェイＥＣＵ１１に供給される。そして、給電によりゲートウェイＥＣＵ１１が作動し、外部装置６１の認証が行われ、認証結果に応じて外部装置６１との通信の中継を行うか、行わないかの処理が行われる。つまり、給電による認証と、給電後のＩＤ等による認証の２段階の認証が行われることになり、セキュリティ性を高めることができる。【００４２】
なお、車内通信バス３０及びコネクタ４０については、実施例１と同様であるので、同一の参照符号を付してその説明を省略する。【００４３】
実施例２に係る車載ゲートウェイ装置及び車両用通信システムによれば、実施例１に係る車載ゲートウェイ装置及び車両用通信システムと同様に、待機状態における車載ゲートウェイ装置の消費電力をゼロにすることができるとともに、外部装置６１と車両１００との接続時には、外部装置６１の認証を行い、不正アクセスを防止することができる。また、電源回路８１を外部装置６１側に設けたので、ゲートウェイ装置内の回路を削減することができ、車両１００側のコストダウンが可能となる。
【実施例３】
【００４４】
図４は、本発明の実施例３に係る車載ゲートウェイ装置及び車両用通信システムの一例を示した構成図である。実施例３に係る車両用通信システムは、ゲートウェイＥＣＵ１２と、車内通信バス３０と、コネクタ４０と、外部装置６２の他、車載バッテリ５０と、給電ライン５５を備えている点で、実施例１、２に係る車両用通信システムと異なっている。なお、実施例１、２と同様の構成要素については、同一の参照符号を付し、その説明を省略する。【００４５】
実施例３に係る車載ゲートウェイ装置（ゲートウェイＥＣＵ１２）は、車外通信用トランシーバ２０と、ＭＣＵ２１と、車内通信用トランシーバ２２と、給電ライン２３と、電源回路８２を備えている点で実施例１の車載ゲートウェイ装置（ゲートウェイＥＣＵ１０）と共通するが、電源回路８２が、その内部に給電切替手段９１を有している点で、実施例１に係るゲートウェイ装置と異なっている。【００４６】
給電切替手段９１は、給電のオン・オフを切り替えるための手段であり、オンで給電を行い、オフで給電を停止する。給電切替手段９１は、給電のオン・オフを切り替えることができれば、種々の手段を用いることができ、種々のスイッチやスイッチング素子を用いることができる。【００４７】
車載バッテリ５０は、車両１００に搭載されたバッテリであり、ゲートウェイＥＣＵ１２の他、車両１００内の各種ＥＣＵや、その他の処理手段に電源を供給する。【００４８】
電源回路８２は、車載バッテリ５０に給電ライン５５を介して接続されており、給電切替手段９１がオンとされたときには、車載バッテリ５０から通信トランシーバ２０、２２及びＭＣＵ２１に電力が供給され、給電切替手段９１がオフとされたときには、電力が供給されない。電源回路８２は、給電電圧を制御する機能を有するので、車載バッテリ５０から電源回路８２を介して通信トランシーバ２０、２２及びＭＣＵ２１に供給される電力は、電圧が制御された、例えば５Ｖ程度の電圧である。【００４９】
なお、給電切替手段９１は、ゲートウェイＥＣＵ１２の待機時にはオフとされ、通常は車載バッテリ５０から通信トランシーバ２０、２２及びＭＣＵ２１に電力が供給されないようになっている。【００５０】
外部装置６２は、通信手段７０を内部に有している点で、実施例１に係る車両用通信システムの外部装置６０と共通するが、バッテリ８０を備えておらず、代わりに給電切替制御手段９０を備えている点で、実施例１と異なっている。【００５１】
給電切替制御手段９０は、電源回路８２内の給電切替手段９１のオン・オフを制御する制御手段である。給電切替制御手段９０は、外部装置６２と車両１００との接続時に、コネクタ４０及び制御線９５を介して電源回路８２と接続され、内部の給電切替制御手段９１をオンに切り替える。これにより、車載バッテリ５０から電源回路８２を介して通信トランシーバ２０、２２及びＭＣＵ２１に給電が行われ、ゲートウェイＥＣＵ１２は作動を開始する。そして、外部装置６２の認証確認が行われ、認証されたときには外部装置６２の車内通信へのアクセスが許可される。【００５２】
実施例３に係る車載ゲートウェイ装置及び車両用通信システムによれば、外部装置６２と車両１００とが接続されていないときには、給電切替手段９１がオフとなっているので、ゲートウェイＥＣＵ１２の消費電力をゼロにすることができる。また、外部装置６２は、給電切替制御手段９０を備えており、かかる手段を備えていなければ、ゲートウェイＥＣＵ１２内の給電切替手段９１を動作させることはできない。よって、不正な外部装置６２はゲートウェイＥＣＵ１２を作動させることができず、セキュリティ性を確保することができる。また、ゲートウェイＥＣＵ１２の作動後も、通常の認証を行うので、２段階の認証によりセキュリティ性を更に向上させることができる。【００５３】
なお、ゲートウェイＥＣＵ１２の動作時における車載バッテリ５０の消費電流は増加するが、ゲートウェイＥＣＵ１２が作動するのは、外部装置６２が接続されて故障診断等の所定の処理を行う時間のみであるので、全体的には車載バッテリ５０の消費電力を大幅に増加させるものではないと考えられる。【００５４】
このように、実施例３に係る車載ゲートウェイ装置及び車両用通信システムによれば、車載バッテリ５０を利用しつつ、待機時の消費電力を無くし、セキュリティを向上させることができる。
【実施例４】
【００５５】
図５は、本発明の実施例４に係るゲートウェイ装置及び車両用通信システムの一例を示した構成図である。図５において、実施例４に係る車両用通信システムは、車両１００内に、ゲートウェイＥＣＵ１３と、車内通信バス３０と、コネクタ４０と、車載バッテリ５０とを備え、車両１００外に、外部装置６２を備える点で、実施例３に係る車両用通信システムと共通する。なお、実施例１乃至３と同様の構成要素については、同一の参照符号を付し、その説明を省略する。【００５６】
ゲートウェイＥＣＵ１３は、車外通信用トランシーバ２０と、ＭＣＵ２１と、車内通信用トランシーバ２２と、電源回路８３と、給電切替手段９２とを備える点で、実施例３に係る車載ゲートウェイ装置と共通するが、給電切替手段９２が、電源回路８１の内部ではなく電源回路８３の外部に設けられ、電源回路８３と給電ライン２５で接続されている点で、実施例３に係る車載ゲートウェイ装置（ゲートウェイＥＣＵ１２）と異なっている。このように、給電切替手段９２は、電源回路８３の内部ではなく、外部に設けるようにしてもよい。【００５７】
電源回路８３は、出力が２つの給電ライン２４、２５となるが、車載バッテリ５０から給電ライン５５により供給された電力を、通信トランシーバ２０、２２及びＭＣＵ２１に適した電圧（例えば、５Ｖ程度）に制御する処理を行うので、実施例１の電源回路８１とほぼ同様に構成される。【００５８】
給電切替手段９２は、実施例３と同様に、オン・オフにより給電の有無を切り替える手段である。実施例４においては、給電切替手段９２は、電源回路８３と車外通信用トランシーバ２０との間の給電ライン２５に設けられ、車外通信用トランシーバ２０の給電のオン・オフのみを切り替える。【００５９】
一方、外部装置６２は、通信手段７０と、給電切替制御手段９０とを内部に備えており、実施例３に係る車両用通信システムの外部装置６２と同様の構成を有する。【００６０】
外部装置６２と車両１００との接続時に、給電切替制御手段９０はコネクタ４０及び制御線９５を介して給電切替手段９２に接続される。この時、給電切替制御手段９０は、給電切替手段９２をオンに切り替え、車載バッテリ５０から電源回路８３を介して車外通信用トランシーバ２０に給電を行わせる。これにより、車外通信用トランシーバ２０が作動し、外部装置６２との通信が開始され、外部装置６２の認証が行われる。【００６１】
実施例４に係る車載ゲートウェイ装置及び車両用通信システムによれば、給電切替制御手段９０を内部に備えた外部装置６２をコネクタ４０に接続しなければ、車外通信用トランシーバ２０に電力が供給されず、外部装置６２との通信が開始しないように構成されているので、外部装置の不正アクセスを防止することができ、セキュリティ性を確保することができる。更に、通信開始後は、通常のＩＤコード等による認証を行うので、２段階の認証によりセキュリティを更に高めることができる。【００６２】
また、待機時には、車外通信用トランシーバ２０が作動していないので、待機時の車外通信トランシーバ２０の消費電力を無くすことができる。【００６３】
一方、実施例５に係るゲートウェイ装置においては、車載バッテリ５０からＭＣＵ２１及び車内通信用トランシーバ２２には常に電源回路８３を介して電力が供給された状態である。例えば、ゲートウェイＥＣＵ１３が、車内通信と外部装置６２との通信の中継以外の機能を有する場合には、ゲートウェイＥＣＵ１３には電力を常に供給する必要がある。よって、ゲートウェイＥＣＵ１３が、通信の中継機能以外の機能を有し、何らかの他の目的の制御手段として動作するＥＣＵの場合には、実施例４に係るゲートウェイ装置のような構成が好ましい。【００６４】
このように、実施例４に係る車載ゲートウェイ装置及び車両用通信システムによれば、通信の中継機能以外の機能を有するゲートウェイＥＣＵ１３を用いることが可能となる。この場合であっても、外部装置６２が車両１００に接続されないときには、車外通信用トランシーバ２０を作動させず、外部装置６２と車両１００との接続時にのみ車外通信用トランシーバ２０を作動させ、外部装置６２の認証を可能とするので、高いセキュリティ性を保つことが可能となる。また、待機時には車外通信用トランシーバ２０の電源をオフとすることにより、わずかながら消費電力を低減させることができる。
【実施例５】
【００６５】
図６は、本発明の実施例５に係る車載ゲートウェイ装置及び車両用通信システムの一例を示した構成図である。図６において、実施例５に係る車両用通信システムは、車両１００内に、ゲートウェイＥＣＵ１４と、車内通信バス３０と、コネクタ４０と、車載バッテリ５０とを有し、車両１００外に外部装置６３を有する。実施例５において、実施例１乃至４の構成要素と同様の構成要素には同一の参照符号を付し、その説明を省略する。【００６６】
実施例５に係るゲートウェイ装置（ゲートウェイＥＣＵ１４）は、車外通信用トランシーバ２０と、ＭＣＵ２１と、車内通信用トランシーバ２２と、電源回路８４と、給電ライン２４とを内部に有する点で、実施例４に係るゲートウェイ装置（ゲートウェイＥＣＵ１３）と共通する。一方、実施例５に係るゲートウェイ装置は、給電切替手段９２を備えておらず、車外通信用トランシーバ２０が外部装置６３からの給電ライン２６に接続されている点で、実施例４に係るゲートウェイ装置と異なっている。【００６７】
電源回路８３ａは、電力の出力先がＭＣＵ２１と車内通信用トランシーバ２２の２つのみとなる点以外は、実施例４の電源回路８３と同様の構成を有する。給電ライン５５を介して、車載バッテリ５０と接続されている点も、実施例４と同様である。かかる構成により、ゲートウェイＥＣＵ１４が、外部装置６３と車内通信との通信の中継機能以外の機能を有する車両制御用のＥＣＵとして機能する場合には、車内通信バス３０に接続した状態でＭＣＵ２１による種々の処理を行うことが可能である。【００６８】
一方、車外通信用トランシーバ２０は、給電ライン２６を介して外部装置６３に接続されている。【００６９】
外部装置６３は、通信手段７０と、バッテリ８０と、電源回路８４とを有し、電源回路８４の接続先が車外通信用トランシーバ２０である点を除けば、実施例２に係る外部装置６１と同様の構成を有する。外部装置６３が車両１００とコネクタ４０を介して接続されることにより、給電電圧の制御がなされた電力がコネクタ４０及び給電ライン２６を介して車外通信用トランシーバ２０に供給される。これにより、車外通信用トランシーバ２０が作動し、外部装置６３の通信手段７０と通信を開始する。そして、外部装置６３の認証が行われる。【００７０】
一方、外部装置６３が車両１００と接続されていないときには、車外通信用トランシーバ２０に給電を行う電源は存在しないので、車外通信用トランシーバ２０は作動しない。【００７１】
よって、図６に示すように、バッテリ８０及び電源回路８４を搭載した外部装置６３が車両１００に接続されない限り、車外通信用トランシーバ２０は作動せず、不正な外部装置を車両１００に接続しても、車内通信にアクセスすることはできない。また、外部装置６３と通信手段７０との通信が開始してからも、通常の認証を行う。更に、車外通信用トランシーバ２０は、待機状態では作動しておらず、電力を消費しないので、僅かではあるが、消費電力を低減させることができる。【００７２】
このように、実施例５に係る車載ゲートウェイ装置及び車両用通信システムによれば、高いセキュリティ性を確保しつつ、ゲートウェイ装置に通信の中継機能と他の制御機能を備えさせることが可能となる。また、中継機能については、待機状態の通信機能の消費電力を低減させることができる。【００７３】
以上、本発明の好ましい実施例について詳説したが、本発明は、上述した実施例に制限されることはなく、本発明の範囲を逸脱することなく、上述した実施例に種々の変形及び置換を加えることができる。
【産業上の利用可能性】
【００７４】
本発明は、車載ＬＡＮを搭載し、外部装置が接続されて車載ＬＡＮと通信を行う機会を有する車両に用いられる車載ゲートウェイ装置及び車両用通信システムに適用可能である。
【図１】
2013038479.tif 000003
【図２】
2013038479.tif 000004
【図３】
2013038479.tif 000005
【図４】
2013038479.tif 000006
【図５】
2013038479.tif 000007
【図６】
2013038479.tif 000008
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
外部装置と車両との接続時に前記外部装置の認証を行い、認証が成功したときに前記外部装置と車内通信との通信を中継する車載ゲートウェイ装置であって、
前記外部装置と前記車両との接続時に、前記外部装置からの給電により作動し、前記外部装置の認証を行うことを特徴とする車載ゲートウェイ装置。
【請求項２】
前記外部装置からの給電は、前記外部装置と前記車両との接続時に前記外部装置からの給電ラインが形成されて前記外部装置に内蔵されるバッテリから行われ、
車載バッテリからの給電ラインは備えていないことを特徴とする請求項１に記載の車載ゲートウェイ装置。
【請求項３】
前記外部装置からの給電は、前記外部装置内の電源回路により電圧が制御されて行われることを特徴とする請求項２に記載の車載ゲートウェイ装置。
【請求項４】
電源回路を有し、
前記外部装置からの給電は、前記電源回路により電圧が制御されて行われることを特徴とする請求項２に記載の車載ゲートウェイ。
【請求項５】
前記外部装置と通信するための車外通信用トランシーバを有し、
前記外部装置と前記車両との接続時に、前記車外通信用トランシーバが前記外部装置からの給電により作動することを特徴とする請求項１に記載の車載ゲートウェイ装置。
【請求項６】
車載バッテリからの給電ラインと電源回路とを有し、
前記車外通信用トランシーバ以外は、前記車載バッテリから給電が行われることを特徴とする請求項５に記載の車載ゲートウェイ装置。
【請求項７】
前記外部装置と前記車両が接続されていないときには、前記外部装置と車内通信との通信を中継する機能以外の機能を有して作動することを特徴とする請求項６に記載の車載ゲートウェイ装置。
【請求項８】
外部装置と車両との接続時に前記外部装置の認証を行い、認証が成功したときに前記外部装置と車内通信との通信を中継する車載ゲートウェイ装置であって、
車載バッテリからの給電ラインと、
前記車載バッテリからの給電のオン・オフを切り替える給電切替手段と、
前記外部装置と通信するための車外通信用トランシーバとを有し、
前記外部装置と前記車両との接続時に、前記外部装置に備えられた制御手段により前記給電切替手段が切替制御されて前記車載バッテリからの給電により作動し、
前記給電切替手段は、前記車外通信用トランシーバに接続されており、前記車外通信用トランシーバへの給電のオン・オフを切り替えることにより前記外部装置との通信が開始され、前記外部装置の認証を行うことを特徴とする車載ゲートウェイ装置。
【請求項９】
（削除）
【請求項１０】
前記車外通信用トランシーバ以外は、前記給電切替手段のオン・オフに関わらず、前記車載バッテリから給電されることを特徴とする請求項８に記載の車載ゲートウェイ装置。
【請求項１１】
前記外部装置と前記車両とが接続されていないときには、前記外部装置と車内通信との通信を中継する機能以外の機能を有して作動することを特徴とする請求項１０に記載の車載ゲートウェイ装置。
【請求項１２】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記外部装置は給電手段を備え、前記外部装置と前記車両との接続時に、前記給電手段が前記車載ゲートウェイ装置に給電を行い、前記車載ゲートウェイ装置が作動して前記外部装置の認証を行うことを特徴とする車両用通信システム。
【請求項１３】
前記車載ゲートウェイ装置は、車載バッテリからの給電ラインを有さず、
前記給電手段は、前記外部装置に内蔵されるバッテリを有し、前記外部装置と前記車両との接続時に、前記バッテリから前記車載ゲートウェイ装置への給電ラインが形成されることを特徴とする請求項１２に記載の車両用通信システム。
【請求項１４】
前記給電手段は、前記車外バッテリに接続された電源回路を更に有し、前記車載ゲートウェイ装置への給電電圧を制御することを特徴とする請求項１３に記載の車両用通信システム。
【請求項１５】
前記車載ゲートウェイ装置は、前記給電ラインに接続された電源回路を有し、前記給電手段から給電される電圧を制御することを特徴とする請求項１３に記載の車両用通信システム。
【請求項１６】
前記車載ゲートウェイ装置は、前記外部装置と通信するための車外通信用トランシーバを有し、
該車外通信用トランシーバは、前記外部装置と前記車両との接続時に、前記給電手段からの給電により作動することを特徴とする請求項１２に記載の車両用通信システム。
【請求項１７】
前記車載ゲートウェイ装置は、車載バッテリからの給電ラインと電源回路を有し、
前記車載ゲートウェイ装置の前記車外通信用トランシーバ以外には、前記車載バッテリから給電が行われることを特徴とする請求項１６に記載の車両用通信システム。
【請求項１８】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記車載ゲートウェイ装置は、車載バッテリからの給電ラインと、前記車載バッテリからの給電のオン・オフを切り替える給電切替手段と、前記外部装置と通信するための車外通信用トランシーバとを有し、
前記外部装置は、該給電切替手段を切替制御する制御手段を有し、
前記車載ゲートウェイ装置は、前記外部装置と前記車両との接続時に、前記制御手段により前記給電切替手段が切替制御されて前記車載バッテリからの給電により作動し、
前記給電切替手段は、前記車外通信用トランシーバに接続されており、前記車外通信用トランシーバへの給電のオン・オフを切り替えることにより、前記車載ゲートウェイ装置と前記外部装置との通信が開始され、前記外部装置の認証を行うことを特徴とする車両用通信システム。
【請求項１９】
（削除）
【請求項２０】
前記車載ゲートウェイ装置の前記車外通信用トランシーバ以外は、前記給電切替手段のオン・オフに関わらず、前記車載バッテリから給電されることを特徴とする請求項１８に記載の車両用通信システム。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
外部装置と車両との接続時に前記外部装置の認証を行い、認証が成功したときに前記外部装置と車内通信との通信を中継する車載ゲートウェイ装置であって、
１１。
【請求項２】
前記外部装置からの給電は、前記外部装置と前記車両との接続時に前記外部装置からの給電ラインが形成されて前記外部装置に内蔵されるバッテリから行われ、
車載バッテリからの給電ラインは備えていないことを特徴とする請求項１に記載の車載ゲートウェイ装置。
【請求項３】
前記外部装置からの給電は、前記外部装置内の電源回路により電圧が制御されて行われることを特徴とする請求項２に記載の車載ゲートウェイ装置。
【請求項４】
電源回路を有し、
前記外部装置からの給電は、前記電源回路により電圧が制御されて行われることを特徴とする請求項２に記載の車載ゲートウェイ。
【請求項５】
前記外部装置と通信するための車外通信用トランシーバを有し、
前記外部装置と前記車両との接続時に、前記車外通信用トランシーバが前記外部装置からの給電により作動することを特徴とする請求項１に記載の車載ゲートウェイ装置。
【請求項６】
車載バッテリからの給電ラインと電源回路とを有し、
前記車外通信用トランシーバ以外は、前記車載バッテリから給電が行われることを特徴とする請求項５に記載の車載ゲートウェイ装置。
【請求項７】
前記外部装置と前記車両が接続されていないときには、前記外部装置と車内通信との通信を中継する機能以外の機能を有して作動することを特徴とする請求項６に記載の車載ゲートウェイ装置。
【請求項８】
外部装置と車両との接続時に前記外部装置の認証を行い、認証が成功したときに前記外部装置と車内通信との通信を中継する車載ゲートウェイ装置であって、
車載バッテリからの給電ラインと、
前記車載バッテリからの給電のオン・オフを切り替える給電切替手段と、
前記外部装置と通信するための車外通信用トランシーバとを有し、
前記外部装置と前記車両との接続時に、前記外部装置に備えられた制御手段により前記給電切替手段が切替制御されて前記車載バッテリからの給電により作動し、
前記給電切替手段は、前記車外通信用トランシーバに接続されており、前記車外通信用トランシーバへの給電のオン・オフを切り替えることにより前記外部装置との通信が開始され、前記外部装置の認証を行うことを特徴とする車載ゲートウェイ装置。
【請求項９】
前記車外通信用トランシーバ以外は、前記給電切替手段のオン・オフに関わらず、前記車載バッテリから給電されることを特徴とする請求項８に記載の車載ゲートウェイ装置。
【請求項１０】
前記外部装置と前記車両とが接続されていないときには、前記外部装置と車内通信との通信を中継する機能以外の機能を有して作動することを特徴とする請求項９に記載の車載ゲートウェイ装置。
【請求項１１】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記外部装置は給電手段を備え、前記外部装置と前記車両との接続時に、前記給電手段が前記車載ゲートウェイ装置に給電を行い、前記車載ゲートウェイ装置が作動して前記外部装置の認証を行うことを特徴とする車両用通信システム。
【請求項１２】
前記車載ゲートウェイ装置は、車載バッテリからの給電ラインを有さず、
前記給電手段は、前記外部装置に内蔵されるバッテリを有し、前記外部装置と前記車両との接続時に、前記バッテリから前記車載ゲートウェイ装置への給電ラインが形成されることを特徴とする請求項１１に記載の車両用通信システム。
【請求項１３】
前記給電手段は、前記車外バッテリに接続された電源回路を更に有し、前記車載ゲートウェイ装置への給電電圧を制御することを特徴とする請求項１２に記載の車両用通信システム。
【請求項１４】
前記車載ゲートウェイ装置は、前記給電ラインに接続された電源回路を有し、前記給電手段から給電される電圧を制御することを特徴とする請求項１２に記載の車両用通信システム。
【請求項１５】
前記車載ゲートウェイ装置は、前記外部装置と通信するための車外通信用トランシーバを有し、
該車外通信用トランシーバは、前記外部装置と前記車両との接続時に、前記給電手段からの給電により作動することを特徴とする請求項１１に記載の車両用通信システム。
【請求項１６】
前記車載ゲートウェイ装置は、車載バッテリからの給電ラインと電源回路を有し、
前記車載ゲートウェイ装置の前記車外通信用トランシーバ以外には、前記車載バッテリから給電が行われることを特徴とする請求項１５に記載の車両用通信システム。
【請求項１７】
車両に接続可能な外部装置と、
前記外部装置と前記車両との接続時に前記外部装置の認証を行い、認証が成功したときに前記外部装置と車内通信との通信を中継する車載ゲートウェイ装置とを有する車両用通信システムであって、
前記車載ゲートウェイ装置は、車載バッテリからの給電ラインと、前記車載バッテリからの給電のオン・オフを切り替える給電切替手段と、前記外部装置と通信するための車外通信用トランシーバとを有し、
前記外部装置は、該給電切替手段を切替制御する制御手段を有し、
前記車載ゲートウェイ装置は、前記外部装置と前記車両との接続時に、前記制御手段により前記給電切替手段が切替制御されて前記車載バッテリからの給電により作動し、
前記給電切替手段は、前記車外通信用トランシーバに接続されており、前記車外通信用トランシーバへの給電のオン・オフを切り替えることにより、前記車載ゲートウェイ装置と前記外部装置との通信が開始され、前記外部装置の認証を行うことを特徴とする車両用通信システム。
【請求項１８】
前記車載ゲートウェイ装置の前記車外通信用トランシーバ以外は、前記給電切替手段のオン・オフに関わらず、前記車載バッテリから給電されることを特徴とする請求項１７に記載の車両用通信システム。
【国際調査報告】
2013038479.tif 000009
2013038479.tif 000010